(57)【要約】【課題】携帯電話から発信する電波を抑制し、医療機器その他の機器に及ぼす影響を少なくすることにある。【解決手段】エレベータを利用するエレベータ利用者９が所有する携帯電話８の発信を抑制するシステムであって、携帯電話から発信する電波を抑制する携帯電話発信抑制装置６と少なくともエレベータ利用者の乗降に必要な階の乗場に設置されるアンテナ７とを有し、前記携帯電話発信抑制装置６は、前記携帯電話が前記アンテナから所要の距離に近づいた場合、前記アンテナを通して携帯電話有りの状態を検出する携帯電話有無検出手段６ａと、携帯電話有りと検出すると、当該携帯電話に対して電源遮断信号を送出する電源遮断信号送出手段６ｂとを備え、当該携帯電話は、電源遮断信号を受信すると、所定時間の間自身の電源部を遮断するエレベータの携帯電話発信抑制システムである。【選択図】    図１
2005051386.tif 000002
【特許請求の範囲】
【請求項１】
エレベータを利用するエレベータ利用者が所有する携帯電話の発信を抑制するエレベータの携帯電話発信抑制システムにおいて、
前記携帯電話から発信する電波を抑制する携帯電話発信抑制装置と、
この発信抑制装置に接続され、少なくとも前記エレベータ利用者の乗降に必要な階の乗場に設置されるアンテナとを有し、
前記携帯電話発信抑制装置は、前記携帯電話が前記アンテナから所要の距離に近づいた場合、前記アンテナを通して携帯電話有りの状態を検出する携帯電話有無検出手段と、この携帯電話有無検出手段で携帯電話有りと検出すると、当該携帯電話に対して電源遮断信号を送出する電源遮断信号送出手段とを備え、
当該携帯電話は、電源遮断信号を受信すると、所定時間の間自身の電源部を遮断することを特徴とするエレベータの携帯電話発信抑制システム。
【請求項２】
エレベータを利用するエレベータ利用者が所有する携帯電話の発信を抑制するエレベータの携帯電話発信抑制システムにおいて、
前記携帯電話から発信する電波を抑制する携帯電話発信抑制装置と、
この発信抑制装置に接続され、少なくとも前記エレベータ利用者の乗降に必要な階の乗場に設置されるアンテナとを有し、
前記携帯電話発信抑制装置は、前記携帯電話が前記アンテナから所要の距離に近づいた場合、携帯電話より発信する電波から携帯電話有りの状態を検出する携帯電話有無検出手段と、この携帯電話有無検出手段で携帯電話有りと検出すると、当該携帯電話に対して電波の発信を抑制する発信抑制信号を送信する電波発信抑制手段とを備え、
当該携帯電話は、発信抑制信号を受信すると、所定時間の間電波の発信を抑制することを特徴とするエレベータの携帯電話発信抑制システム。
【請求項３】
エレベータを利用するエレベータ利用者が所有する携帯電話の発信を抑制するエレベータの携帯電話発信抑制システムにおいて、
前記携帯電話から発信する電波を抑制する携帯電話発信抑制装置と、
この発信抑制装置に接続され、少なくとも前記エレベータ利用者の乗降に必要な階の乗場に設置される乗場アンテナ及びエレベータ外部に設置される外部アンテナとを有し、
前記携帯電話発信抑制装置は、前記携帯電話が前記アンテナから所要の距離に近づいた場合、前記携帯電話より発信する電波から電話番号情報を含む携帯電話有りの状態を検出する携帯電話有無検出手段と、この携帯電話有無検出手段で携帯電話有りと検出すると、当該携帯電話に対して電波の発信を抑制する発信抑制信号を送信する電波発信抑制手段と、予めエレベータ利用中を表すメッセージ情報を記憶する手段と、外部の通話要求元機器から前記外部アンテナを介して通話要求元電話番号情報及びエレベータ利用者携帯電話番号情報を含む通話要求信号を受信すると、前記エレベータ利用者の所有する携帯電話への通話要求と判断し、前記通話要求元機器に前記メッセージ情報を返送する手段とを備え、
当該携帯電話は、前記発信抑制信号を受信すると、所定時間の間電波の発信を抑制することを特徴とするエレベータの携帯電話発信抑制システム。
【請求項４】
請求項２又は請求項３に記載のエレベータの携帯電話発信抑制システムにおいて、
エレベータ乗りかごに設置されるかごアンテナと、
地震を検出する地震検出手段と、
前記携帯電話発信抑制装置は、前記地震検出手段から地震検出信号を受けると、前記乗場アンテナ及び前記かごアンテナを通して発信許可信号を送信する発信許可信号送出手段を設け、
前記発信抑制中の携帯電話は、発信許可信号を受けると、発信抑制を解除することを特徴とするエレベータの携帯電話発信抑制システム。
【請求項５】
請求項２又は請求項３に記載のエレベータの携帯電話発信抑制システムにおいて、
エレベータ乗りかごに設置されるかごアンテナと、
乗りかご内に設置される非常呼び釦と、
前記携帯電話発信抑制装置は、非常呼び釦が操作されたことをエレベータ制御装置を介して受け取ると、前記かごアンテナを通して発信許可信号を送信する発信許可信号送出手段を設け、
前記発信抑制中の携帯電話は、発信許可信号を受けると、発信抑制を解除することを特徴とするエレベータの携帯電話発信抑制システム。
【請求項６】
請求項２又は請求項３に記載のエレベータの携帯電話発信抑制システムにおいて、
乗りかご、エレベータの乗場その他必要に場所に設置されるＶＩＰ運転スイッチと、
前記携帯電話発信抑制装置は、ＶＩＰ運転スイッチが操作されたことをエレベータ制御装置を介して受け取ると、前記かごアンテナを通して発信許可信号を送信する発信許可信号送出手段を設け、
前記発信抑制中の携帯電話は、発信許可信号を受けると、発信抑制を解除することを特徴とするエレベータの携帯電話発信抑制システム。
【請求項７】
エレベータ利用者が所有する携帯電話の発信を抑制するエレベータの携帯電話発信抑制システムにおいて、
前記携帯電話から発信する電波を抑制する携帯電話発信抑制装置と、
この発信抑制装置に接続され、少なくとも前記エレベータ利用者の乗降に必要な階の乗場に設置される乗場アンテナ及びエレベータ外部に設置される外部アンテナとを有し、
前記携帯電話発信抑制装置は、前記携帯電話が前記アンテナから所要の距離に近づいた場合、携帯電話より発信する電波から携帯電話番号を含む携帯電話有りの状態を検出する携帯電話有無検出手段と、この携帯電話有無検出手段で携帯電話有りと検出すると、当該携帯電話に対して電波の発信を抑制する発信抑制信号を送信する電波発信抑制手段と、外部の通話要求元機器から前記外部アンテナを介して通話要求元電話番号情報及びエレベータ利用者携帯電話番号情報を含む通話要求信号を受信すると、前記携帯電話番号を参照し、前記エレベータ利用者が所有する携帯電話への通話要求と判断し、当該携帯電話に対して発信許可信号を送信するとともに、ＣＤＭＡ（Ｃｏｄｅ  Ｄｉｖｉｓｉｏｎ  Ｍｕｌｔｉｐｌｅ  Ａｃｃｅｓｓ）通信方式の選択信号を送信する手段と、この手段による選択信号を送信した後、低い送信出力により前記通話要求元機器とエレベータ利用者が所有する携帯電話との間で交換される通話情報を中継する手段とを備え、
当該携帯電話は、常時はＴＤＭ（Ｔｉｍｅ  Ｄｉｖｉｓｉｏｎ  Ｍｕｌｔｉｐｌｅｘｅｒ）通信方式が用いられ、前記発信抑制信号、発信許可信号を受けると、発信抑制、発信抑制解除するとともに、前記ＣＤＭＡ通信方式の選択信号を受けると、当該ＣＤＭＡ通信方式を用いて前記通話情報の送受信を実行することを特徴とするエレベータの携帯電話発信抑制システム。
【発明の詳細な説明】
【０００１】
【発明の属する技術分野】
本発明は、エレベータの乗場や乗りかご内のように、エレベータ利用者の密集する場所で使用する携帯電話の電波発信を抑制するエレベータの携帯電話発信抑制システムに関する。
【０００２】
【従来の技術】
近年、携帯電話の普及と共に、その携帯電話より発信する強力な電波が周囲に何らかの影響を与えるということが問題となってきている。その中でも心臓ペースメーカに与える影響は深刻なものがある。
【０００３】
この携帯電話による影響を極力減らす対策としては、電車内などのごとき乗客の密集する場所では、各ユーザが自発的に電源を切ることを促す比較的拘束力の低い通報を行っているが、殆んどのユーザは携帯電話の便利さを優先し、人が密集する場所の有無に拘らず電源を切らずに使用しているのが現状である。
【０００４】
ところで、エレベータを利用するに際し、エレベータの乗場や乗りかご内のごときエレベータ利用者の密集する場所も多く見受けられるが、電車内などと異なり、エレベータ利用者に携帯電話の電源を切ることを促すことは行われていない。
【０００５】
【発明が解決しようとする課題】
従って、エレベータの乗場や乗りかご内のごときエレベータ利用者が密集する場所であっても、殆んどのユーザが携帯電話の電源を切ることなく、エレベータを利用している。その結果、エレベータの乗場や乗りかご内において、心臓ペースメーカ等の医療機器に影響を及ぼすことが予想され、特定の人に対する危険性は否定できない。
【０００６】
本発明は上記事情に鑑みてなされたもので、携帯電話から発信する電波を抑制し、医療機器その他の機器に及ぼす影響を少なくし、予め危険性を未然に回避するエレベータの携帯電話発信抑制システムを提供することを目的とする。
【０００７】
【課題を解決するための手段】
（１）  上記課題を解決するために、本発明に係るエレベータの携帯電話発信抑制システムは、携帯電話から発信する電波を抑制する携帯電話発信抑制装置と、この発信抑制装置に接続され、少なくとも前記エレベータ利用者の乗降に必要な階の乗場に設置されるアンテナとを有し、
前記携帯電話発信抑制装置は、前記携帯電話が前記アンテナから所要の距離に近づいた場合、前記アンテナを通して携帯電話有りの状態を検出する携帯電話有無検出手段と、この携帯電話有無検出手段で携帯電話有りと検出すると、当該携帯電話に対して電源遮断信号を送出する電源遮断信号送出手段とを備え、
当該携帯電話は、電源遮断信号を受信すると、所定時間の間自身の電源部を遮断する構成である。
【０００８】
この発明は以上のような構成とすることにより、携帯電話発信抑制装置は、携帯電話が密集場所に近ずくと、当該携帯電話に対して電源遮断信号を送出し、携帯電話の電源を切るので、心臓ペースメーカ等の医療機器その他の機器に影響を及ぼすことが少なくなり、危険性を未然に回避することが可能となる。
【０００９】
（２）  また、本発明に係るエレベータの携帯電話発信抑制システムは、携帯電話から発信する電波を抑制する携帯電話発信抑制装置と、この発信抑制装置に接続され、少なくとも前記エレベータ利用者の乗降に必要な階の乗場に設置されるアンテナとを有し、
前記携帯電話発信抑制装置は、前記携帯電話が前記アンテナから所要の距離に近づいた場合、携帯電話より発信する電波から携帯電話有りの状態を検出する携帯電話有無検出手段と、この携帯電話有無検出手段で携帯電話有りと検出すると、当該携帯電話に対して電波の発信を抑制する発信抑制信号を送信する電波発信抑制手段とを備え、
当該携帯電話は、発信抑制信号を受信すると、所定時間の間電波の発信を抑制する構成である。
【００１０】
この発明においても、前記（１）と同様の作用効果を奏することができる。
【００１１】
なお、前記携帯電話発信抑制装置は、外部の通話要求元機器から外部アンテナを介して通話要求元電話番号情報及びエレベータ利用者携帯電話番号情報を含む通話要求信号を受信したとき、前記通話要求元機器に現在エレベータ利用中のメッセージ情報を返送する手段を設けることも可能である。
【００１２】
さらに、地震発生時、乗りかご内に設置される非常呼び釦が操作された時、或いはＶＩＰ運転スイッチが操作された場合、発信抑制を継続されると、不都合が生じるので、発信許可信号を送信し、前記発信抑制中の携帯電話の発信抑制を解除することもできる。
【００１３】
さらに、携帯電話が常時、ＴＤＭ（Ｔｉｍｅ  Ｄｉｖｉｓｉｏｎ  Ｍｕｌｔｉｐｌｅｘｅｒ）通信方式が用いられ、その他ＣＤＭＡ（Ｃｏｄｅ  Ｄｉｖｉｓｉｏｎ  Ｍｕｌｔｉｐｌｅ  Ａｃｃｅｓｓ）通信方式を備えている場合、特定の条件のもとに他ＣＤＭＡ通信方式を選択し、低い送信出力により携帯電話との間で通話情報を中継するようにしてもよい。
【００１４】
【発明の実施の形態】
以下、本発明の実施の形態について図面を参照して説明する。
【００１５】
（第１の実施の形態）（請求項１に対応する）
図１は本発明に係るエレベータの携帯電話発信抑制システムの第１の実施の形態を示す構成図である。
【００１６】
この携帯電話発信抑制システムは、通常のエレベータシステムに利用するものである。ここで、通常のエレベータシステムとは、乗客を乗せて昇降する乗りかご（図示せず）と、この乗りかごを利用する乗客を運ぶ少なくとも２つの階の乗場１（図１では１つの乗場が図示されている）と、乗りかご内又は当該乗場１から行先登録階に運転制御するエレベータ制御装置２とを備えたシステムをいう。
【００１７】
この各乗場１には各乗りかごに対応して乗場扉３が設けられ、この乗場扉３の所要とする側方の壁面には昇方向及び降方向へのかご呼び登録を行う乗場釦４及び乗りかごの走行方向や乗りかごのご到着を知らせる乗場インジケータ又はランタン５が設置され、これら乗場釦４及び乗場インジケータ又はランタン５はエレベータ制御装置２に接続されている。従って、乗場釦４からかご呼び登録信号を出力すると、エレベータ制御装置２は、当該かご呼び登録に従い、該当する乗りかごをかご呼び階に向かうように運転制御する一方、かご呼び階に到着する直前に乗場インジケータ又はランタン５を点灯し、かご呼び階への乗りかごのご到着を知らせる。
【００１８】
また、エレベータ制御装置２には携帯電話発信抑制装置６が接続されている。なお、携帯電話発信抑制装置６はエレベータ制御装置２内又はエレベータ制御装置２外に独立した状態で設置してもよい。
【００１９】
さらに、各階の乗場２又は乗場の各乗場扉３に対応してアンテナ７が設置され、これらアンテナ７は携帯電話発信抑制装置６に接続されている。また、同図においては、携帯電話８を所有するエレベータ利用者９がエレベータを利用するために乗場２に近づいていることを示している。
【００２０】
前記携帯電話発信抑制装置６は、機能的には、アンテナ７から所要の距離範囲内にエレベータ利用者９の所有する携帯電話８が近づいたとき、アンテナ７を介して携帯電話８の有無を検出する携帯電話有無検出手段６ａと、この携帯電話有無検出手段６ａにより携帯電話有りを検出すると、当該携帯電話８に対して電源遮断信号１０を送出する電源遮断信号送出手段６ｂとが設けられている。
【００２１】
前記携帯電話８は、一般には、電源部、電話主回路部、音声・映像出力部及び送受信部等によって構成されているが、本発明システムでは、電源部と携帯電話主回路部の間にスイッチング素子などの電源遮断部が設けられている。この携帯電話８は、送受信部にて携帯電話発信抑制装置６の電源遮断信号送出手段６ｂから該当アンテナ７を経由して送信されてくる電源遮断信号を受信し、電源遮断部を構成する例えばスイッチング素子をオフ制御し、電源部から供給される所要電力を遮断するとか、或いはソフト的な手段により電源部からの電力を受け取らないような機能をもっている。
【００２２】
次に、以上のようなシステムの動作について説明する。
【００２３】
エレベータ利用者９がエレベータを利用するために乗場２周辺に近づいてアンテナ７から所要の距離範囲内に入り、かつ、携帯電話８が通話中又は利用者移動に伴う基地局との位置登録確認時、携帯電話発信抑制装置６の携帯電話有無検出手段６ａは、アンテナ７を通して所要距離範囲内に入る携帯電話８から発信される電波から携帯電話有りを検出する。このとき、携帯電話８から発信される電波から携帯電話番号も取得する。
【００２４】
この携帯電話有無検出手段６ａが携帯電話有りを検出すると、電源遮断信号送出手段６ｂは、エレベータ利用者９が所有する携帯電話８の電源を切るための電源遮断信号１０をアンテナ７から送信する。
【００２５】
このとき、携帯電話８は、送受信部にて電源遮断信号を受信すると、携帯電話８の構成要素である電源部と電話主回路部との間の電源遮断部に送出する。この電源遮断部は、電源部から電話主回路部に供給される電力を所定時間遮断した後、自動的に復旧する他、携帯電話発信抑制装置６から所定の周期ごとに携帯電話８の有無を確認するので、所定時間経過してもエレベータ利用者９が乗場２から乗りかごに乗って移動し、目的階に到着し、アンテナ７から所要の距離範囲内にある限り、再度電源遮断信号を送信し、電源部が遮断される。従って、携帯電話８がアンテナ７から所要の距離範囲から外れ、かつ、所定時間を経過したときには自動的に復旧し、その後、携帯電話発信抑制装置６からの影響を受けない通常の動作状態に戻る。
【００２６】
従って、以上のような実施の形態によれば、エレベータ利用者９の所有する携帯電話８が乗場２に設置されるアンテナ７の所要とする距離範囲内に入ると、携帯電話８有りを検出し、当該携帯電話８に電源遮断信号を送信する。この携帯電話８は、電源遮断部を有し、電源遮断信号を受信すると、自らの電源部を遮断するので、エレベータ乗場２や乗りかご内のように利用者９の密集する場所では、携帯電話８の電源遮断により、心臓ペースメーカ等の医療機器に誤動作を与えるなどの影響を低減することができる。
【００２７】
（第２の実施の形態）（請求項２に対応する）
図２は本発明に係る携帯電話発信抑制システムの第２の実施の形態を示す構成図である。
【００２８】
この携帯電話発信抑制システムは、図示されていないが図１と同様にエレベータ制御装置には、乗場釦（図示せず）や乗りかご１１の走行方向や乗りかごのご到着を知らせる乗場インジケータ又はランタン（図示せず）の他、携帯電話発信抑制装置６が接続されている。この携帯電話発信抑制装置６には少なくとも乗客の乗降に必要な階の乗場に設置されるアンテナ７ａ，７ｂが接続されている。
【００２９】
この携帯電話発信抑制装置６は、例えば昇降路上部の機械室等に設置され、機能的には、乗場階のアンテナ７ａから所要の距離範囲内に携帯電話８を所有するエレベータ利用者が近づいたとき、アンテナ７ａを介して当該エレベータ利用者が所持する携帯電話８の有無を検出する携帯電話有無検出手段６ａと、この携帯電話有無検出手段６ａによって携帯電話有りを検出したとき、当該携帯電話８に対して一時的に電波の発信のみを抑制する発信抑制信号１２を送信する電波発信抑制手段６ｃとが設けられている。
【００３０】
前記携帯電話８は、電話主回路部、音声・映像出力部及びフィルタ・増幅器・アンテナ等の出力回路部を含む送信部・受信部等によって構成されているが、例えば電話主回路部と出力回路部との間に発信電波を止める例えばスイッチング素子などの電波抑制手段を設け、かつ、前記受信部で携帯電話発信抑制装置６から送信されてくる発信抑制信号を受信したとき、電波抑制手段によるスイッチオフ当により電波抑制を実施するとともに、発信抑制信号の受信タイミングに基づいて所定時間を計測し、所定時間を経過したときに電波抑制手段の電波抑制を解除し自動的に再開する自動復旧手段が設けられている。なお、この所定時間とは、過去の経験等を考慮し、エレベータ利用者が所要の乗場から目的階に移動するに必要な時間に相当する。
【００３１】
また、同図において８はエレベータ利用者（図示せず）の所有する携帯電話、８ａはアンテナ７ａから所要の距離範囲内に入った発信抑制中の携帯電話、８ｂは乗りかご内の発信抑制中の携帯電話、８ｃは所定時間が経過し、かつ、エレベータ利用者が目的階に降りてアンテナ７ｂから所要距離離れて自動再開した携帯電話を表している。
【００３２】
次に、以上のような携帯電話発信抑制システムの動作について説明する。
【００３３】
携帯電話８を所有するエレベータ利用者がエレベータを利用するために乗場の方向に移動してくるが、このときアンテナ７ａは、携帯電話８が所要の距離範囲内に入ると、当該携帯電話８から発信する電波を受信し、発信抑制装置６に送出する。
【００３４】
ここで、発信抑制装置６の携帯電話有無検出手段６ａは、エレベータ利用者が所有する携帯電話有りを検出すると、電波発信抑制手段６ｃに通知する。この電波発信抑制手段６ｃは、一時的に携帯電話８から発信する電波を抑制する発信抑制信号１２を送信する。
【００３５】
携帯電話８は、送受信部にて発信抑制信号１２を受信すると、時間計測を開始すると共に、例えば出力段増幅器の入力側などに設けられる電波抑制手段に発信抑制信号を送出し、発信する電波の出力を止める。よって、エレベータ利用者が所有する携帯電話は発信抑制中の携帯電話８ａとなる。
【００３６】
エレベータ利用者は乗りかご１１に乗り込んで目的階を移動するが、所定時間内であれば、乗りかご内の携帯電話８ｂは発信抑制中となっている。
【００３７】
携帯電話８は、時間を計測し、予め定める所定時間に達すると、現在乗りかごに乗って移動中であっても自動再開し、通話可能な状態となる。
【００３８】
しかし、携帯電話発信抑制装置６は、所定時間を見越して所定の周期ごとにアンテナ７ａ，７ｂから所要の距離範囲に入っているか否かを判断するので、携帯電話８は自動再開するが、再び携帯電話発信抑制装置６の電波発信抑制手段６ｃが動作し、発信抑制信号１２を送信し、電波の発信が抑制される。
【００３９】
よって、携帯電話８は、エレベータ利用者が目的階に降りて、所定時間を経過し、かつ、所要の距離範囲を抜け出たときに自動再開する。
【００４０】
従って、以上のような実施の形態によれば、エレベータを利用する階の乗場に設置されるアンテナ７ａにより電波発信中の携帯電話８を検出すると、携帯電話発信抑制装置６から発信抑制信号１２を送信し、携帯電話８の電波の発信を抑制するので、エレベータ利用者が近づく乗場や乗りかご内のごとく利用者が密集する場所において、心臓ペースメーカ等の医療機器に影響を及ぼす恐れが少なくなり、心臓ペースメーカ等を所持するエレベータ利用者が安心してエレベータを利用することができる。
【００４１】
また、携帯電話８は、発信抑制信号１２を受信すると同時に時間を計測し、所定の時間経過後に通常の動作状態に復旧するので、一時的な制約であり、エレベータ利用者に与える制約も少なくて済む。
【００４２】
さらに、携帯電話８としては、電源を遮断せずに電波の発信だけを止めるので、例えば電話の通話やメールの送受信といった無線通信を用いた機能以外のメール作成やスケジュール管理といった携帯電話のもつ機能を継続的に利用することができる。
【００４３】
（第３の実施の形態）（請求項３に対応する）
図３は本発明に係る携帯電話発信抑制システムの第３の実施の形態を示す構成図である。
【００４４】
この携帯電話発信抑制システムは、エレベータ利用者９が所有する携帯電話８ｂが乗場付近に近づいて発信抑制中にあるとき、外部からエレベータ利用者９への通話要求を受けた場合、携帯電話発信抑制装置６が通話要求者１３の例えば携帯電話１４に対してエレベータ利用中であることを表すメッセージを返送する例である。
【００４５】
この携帯電話発信抑制システムは、前述同様に例えば昇降路上部の機械室などに携帯電話発信抑制装置６が設けられ、この発信抑制装置６には少なくとも乗客の乗降に必要な階の乗場に設置されるアンテナ７が接続され、さらにエレベータシステム外，例えば建物等の屋上等に設置される外部アンテナ１５が接続されている。
【００４６】
この携帯電話発信抑制装置６は、第２の実施の形態と同様に、アンテナ７から所要の距離範囲内に携帯電話８を所持するエレベータ利用者９が近づいたとき、携帯電話８より発信する電波から携帯電話番号を含む携帯電話有りを検出する携帯電話有無検出手段６ａと、この携帯電話有無検出手段６ａで携帯電話有りを検出したとき、当該携帯電話８に対して電波の発信のみを抑制する発信抑制信号を送信する電波発信抑制手段６ｃと、予め所要とするメッセージ情報を記録するメッセージ情報記録手段６ｄと、外部アンテナ１５を介して通話要求元の例えば携帯電話１４から携帯電話８ａに対して要求元電話番号情報及び利用者携帯電話番号情報を含む通話要求信号を受信した場合、既に取得され記憶される携帯電話番号を参照し、現在発信抑制中の携帯電話８ａへの通話要求である場合、メッセージ情報記録手段６ｅからメッセージ情報を読み出して通話要求元携帯電話１４に返送するメッセージ情報返送手段６ｅとが設けられている。
【００４７】
一方、携帯電話８は、第２の実施の形態と同様の構成が設けられている。つまり、電話主回路部、音声・映像出力部及びフィルタ・・増幅器・アンテナ等の出力回路部を含む送信部・受信部等によって構成され、例えば電話主回路部と出力回路部との間に携帯電話８から発信する電波を止める例えばスイッチング素子などの電波抑制手段を設け、かつ、受信部が発信抑制信号を受信したとき、電波抑制手段により電波抑制を実施するとともに、発信抑制信号の受信タイミングで時間を計測し、所定時間を経過したときに通常の動作状態に復旧し通話再開を可能とする自動復旧手段が設けられている。
【００４８】
次に、以上のようなシステムの動作について説明する。
【００４９】
携帯電話８を所有するエレベータ利用者９がエレベータを利用するために乗場に移動してくるが、このときアンテナ７は、携帯電話８が所要の距離範囲内に入ると、当該携帯電話８から発信する携帯電話番号情報を含む電波を受信し、発信抑制装置６に送出する。
【００５０】
ここで、携帯電話有無検出手段６ａは、携帯電話有りを検出すると、適宜な記憶手段に携帯電話番号情報を記録する一方、携帯有り情報を電波発信抑制手段６ｃに通知する。この電波発信抑制手段６ｃは、一時的に携帯電話８から発信する電波を抑制する発信抑制信号１２を送信する。
【００５１】
携帯電話８は、受信部にて発信抑制信号を受信し、時間計測を開始すると共に、電波抑制手段に発信抑制信号を送出し、発信する電波の出力を止める。よって、エレベータ利用者が所有する携帯電話８は発信抑制中の携帯電話８ａとなる。
【００５２】
ところで、発信抑制中、外部の例えば携帯電話１４からエレベータ利用者９の所有する携帯電話８ａに対して要求元端末電話番号情報及び利用者携帯電話番号情報を含む通話要求信号を送信すると、外部アンテナ１５はその通話要求信号を受信し、携帯電話発信抑制装置６に送出する。
【００５３】
ここで、携帯電話発信抑制装置６のメッセージ情報返送手段６ｅは、外部アンテナ１５で受信した利用者携帯電話番号情報に基づき、既に記録された携帯電話番号情報を参照し、現在発信抑制中の携帯電話８ａへの通話要求と判断すれば、メッセージ情報記録手段６ｄからメッセージ情報、例えば「只今、エレベータ利用中です。暫くそのままお待ち頂くか、後程お掛け直し下さい」という、電波発信抑制状態にあることのメッセージ情報を通話要求元携帯電話１４に返送する。
【００５４】
従って、以上のような実施の形態によれば、第２の実施の形態と同様の効果を奏する他、エレベータ利用者が所有する携帯電話８が発信抑制中にあり、かつ、外部から通話要求を受けたときに電波発信抑制状態にあるメッセージ情報を返送するので、通話要求元は、エレベータの利用が終了するであろう比較的短い待ち時間の後にエレベータ利用者と通話を行うことができる。
【００５５】
（第４の実施の形態）（請求項４に対応する）
図４は本発明に係る携帯電話発信抑制システムの第４の実施の形態を示す構成図である。
【００５６】
この携帯電話発信抑制システムは、前述する各実施の形態と同様に携帯電話発信抑制装置６が設けられ、この発信抑制装置６には、少なくとも乗客の乗降に必要な階の乗場に設置されるアンテナ７及び乗りかご１１に設置されるアンテナ２１が接続されている。また、発信抑制装置６には昇降路床部などに設置される地震検出器２２が接続され、例えば乗りかご１１の移動中に地震が発生したとき、地震検出器２２は地震を検出し、その地震検出信号を発信抑制装置６に送出する。
【００５７】
前記携帯電話発信抑制装置６は、第２又は第３の実施の形態と同様な構成を備え、さらに地震検出信号を受けたとき、乗りかご１１内のアンテナ２１を介して発信許可信号２３を送信する発信許可信号送出手段６ｆが設けられている。
【００５８】
一方、携帯電話８は、第２又は第３の実施の形態と同様な構成を備え、かつ、発信許可信号２３を受信すると、発信抑制手段をオフ状態に設定し、発信再開を可能とする構成となっている。従って、携帯電話８は、発信抑制信号の受信後所定時間経過したときに通常の動作状態に復旧再開する機能と携帯電話発信抑制装置６から発信許可信号２３を受信したときに発信抑制を解除する機能をもっている。
【００５９】
次に、以上のような実施の形態について動作を説明する。
【００６０】
携帯電話８の発信抑制処理は、第２、第３の実施の形態と同様であるので、ここでは図２、図３の説明に譲り、以下、発信抑制中に地震が発生した場合の動作について説明する。
【００６１】
エレベータ利用者９が発信抑制中の携帯電話８ａを所有し、現在、エレベータ乗りかご１１に乗って移動中であるとき、地震が発生すると、地震検出器２２は作動し、地震検出信号を携帯電話発信抑制装置６に送信する。
【００６２】
この携帯電話発信抑制装置６は、地震検出器２２から地震検出信号を受けると、発信許可信号送出手段６ｇは、地震によって乗りかご１１内の乗客が外部との連絡を取る必要が生じたと判断し、乗りかご１１内のアンテナ２１を通して発信許可信号２３を送信する。
【００６３】
乗りかご１１内の発信抑制中の携帯電話８ａは、受信部で発信許可信号２３を受信すると、発信抑制手段による発信抑制を解除し、発信可能な状態に戻す。
【００６４】
従って、以上のような実施の形態によれば、エレベータ利用中であるためにエレベータ利用者の所有する携帯電話８ａが発信抑制状態になっていても、地震検出器２２が地震を検出すると、携帯電話発信抑制装置６が発信許可信号をかご内に送信し、携帯電話８ａの発信抑制を解除するので、緊急時にかご内の乗客が外部と確実に連絡を取ることができる。また、万が一エレベータの運転が継続できない状態となっても、エレベータ利用者がかご内に閉じ込められていることを外部に知らせたり、エレベータ利用者の親族・知人などに安否の確認をとることができる。
【００６５】
（第５の実施の形態）（請求項５に対応する）
図５は本発明に係る携帯電話発信抑制システムの第５の実施の形態を示す構成図である。
【００６６】
この実施の形態は、何らかの利用で非常事態が発生したときの対処例である。
【００６７】
一般に、乗りかご１１のかご操作盤などに非常呼び釦２６が設置されており、この非常呼び釦２６はエレベータ制御装置２に接続されている。このエレベータ制御装置２には前述するように携帯電話発信抑制装置６が接続されている。また、携帯電話発信抑制装置６には、少なくとも乗客の乗降に必要な階の乗場に設置されるアンテナ（図示せず）及び乗りかご１１に設置されるアンテナ２１が接続されている。
【００６８】
前記携帯電話発信抑制装置６は、前述する第４の実施の形態と同様に、携帯電話有無検出手段６ａ、電波発信抑制手段６ｃ及び発信許可信号送出手段６ｆが設けられ、携帯電話８に対する電波発信抑制及び非常呼び釦操作時の発信許可を与える機能をもっている。
【００６９】
さらに、前記携帯電話発信抑制装置６は、エレベータ制御装置２が所要号機の乗りかご１１の非常呼び釦２２から非常通報を受けた場合に該当号機の乗りかご１１を指定して非常通報信号を送信するので、当該非常通報信号を受信したとき、発信許可信号送出手段６ｆからかご内のアンテナ２１を介してかご内に発信許可信号を送信する機能をもっている。
【００７０】
一方、携帯電話８は、第４の実施の形態と同様な機能を有する。すなわち、携帯電話８は、発信抑制信号の受信後所定時間経過したときに通常の動作状態に復旧再開する機能と携帯電話発信抑制装置６から発信許可信号を受信したときに発信抑制を解除する機能をもっている。
【００７１】
なお、このシステムの動作については、携帯電話発信抑制装置６が地震検出信号に代えて非常通報信号を受け取る点で異なるが、その一連の動作の説明は第うの実施の形態と同様であるので、当該図４の説明に譲る。
【００７２】
従って、以上のような実施の形態によれば、エレベータ利用中であるためにエレベータ利用者の所有する携帯電話８ａが発信抑制状態になっていても、乗りかご１１内の非常呼び釦２６が操作されると、携帯電話発信抑制装置６が発信許可信号をかご内に送信し、携帯電話８ａの発信抑制を解除するので、非常時にかご内の乗客が外部と確実に連絡を取ることができる。つまり、非常呼び釦２６を操作した場合、エレベータ利用者が乗りかご１１内に閉じ込められているか、エレベータ利用者自身が身体の異常をきたしているかであるが、このような場合には確実に外部と連絡を取ることができる。
【００７３】
（第６の実施の形態）（請求項６に対応する）
図６は本発明に係る携帯電話発信抑制システムの第６の実施の形態を示す構成図である。
【００７４】
この実施の形態は、例えばエレベータ乗りかご１１内にＶＩＰ運転スイッチ３１が設置され、このＶＩＰ運転スイッチ３１が操作された場合の例である。ＶＩＰ運転スイッチ３１は、必ずしも乗りかご１１内に設置されている必要がなく、例えば乗場や監視室の監視盤等に設けてもよい。
【００７５】
このＶＩＰ運転スイッチ３１は、エレベータ制御装置２及び監視室の監視盤等に設置されるＶＩＰ運転灯３２と接続されている。
【００７６】
前記エレベータ制御装置２には携帯電話発信抑制装置６が接続されている。この携帯電話発信抑制装置６には、少なくとも乗客の乗降に必要な階の乗場に設置されるアンテナ（図示せず）及び乗りかご１１に設置されるアンテナ２１が接続されている。
【００７７】
前記携帯電話発信抑制装置６は、前述する第４の実施の形態と同様に、電話有無検出手段６ａ、電波発信抑制手段６ｃ及び発信許可信号送出手段６ｆが設けられ、携帯電話８に対する電波発信抑制及びＶＩＰ運転スイッチ操作時の発信許可を与える機能をもっている。
【００７８】
さらに、携帯電話発信抑制装置６は、ＶＩＰ運転スイッチ３１が操作されたとき、エレベータ制御装置２から該当号機の乗りかご１１を指定してＶＩＰ運転信号を送信するので、当該ＶＩＰ運転信号を受信したとき、発信許可信号送出手段６ｆからかご内のアンテナ２１を介してかご内に発信許可信号を送信する機能をもっている。なお、携帯電話発信抑制装置６は、第４の実施の形態と同様な構成によって実現できる。
【００７９】
一方、携帯電話８は、第４の実施の形態と同様な機能を有する。すなわち、携帯電話８は、発信抑制信号の受信後所定時間経過したときに通常の動作状態に復旧再開する機能と携帯電話発信抑制装置６から発信許可信号を受信したときに発信抑制を解除する機能をもっている。
【００８０】
次に、以上のようなシステムの動作について説明する。
【００８１】
乗りかご１１内のＶＩＰ運転スイッチ３１が操作されると、監視盤等に設置されるＶＩＰ運転灯３２が点灯し、またＶＩＰ運転信号がエレベータ制御装置２に送出される。ここで、、監視盤側においては、ＶＩＰ運転灯３２の点灯により、監視員等は乗りかご１１をＶＩＰ運転モードに設定し、エレベータ利用者９の専用運転となる。
【００８２】
一方、エレベータ制御装置２は、ＶＩＰ運転スイッチ３１から操作信号を受けると、ＶＩＰ運転信号を該当号機の携帯電話発信抑制装置６に送信する。この携帯電話発信抑制装置６は、エレベータ制御装置２からＶＩＰ運転信号を受けると、乗りかご１１内に同乗者がいても、例えば同乗者が心臓ペースメーカ等の医療機器を使用していることが予め分かっており、エレベータ利用中でも携帯電話８ａを使用しても問題なく、むしろエレベータ利用者に携帯電話８ａを通して届く情報が重要であると判断し、発信許可信号送出手段６ｆからかご内アンテナ２１を介してかご内に発信許可信号２３を送信する。
【００８３】
その結果、エレベータ利用者９が所有する発信抑制中の携帯電話８ａは、発信許可信号２３を受けると、発信抑制手段による発信抑制を解除し、発信可能な状態に戻す。
【００８４】
従って、以上のような実施の形態によれば、ＶＩＰ運転スイッチ３１を操作したとき、当該号機の乗りかご１１をＶＩＰ専用に割り当てるとともに、当該乗りかご１１内のエレベータ利用者９の所有する携帯電話８ａの電波発信抑制機能を無効とすることにより、、エレベータ利用者９は乗りかご１１を利用中であっても、情報の交換を自由に行うことができる。
【００８５】
（第７の実施の形態）（請求項７に対応する）
図７は本発明に係る携帯電話発信抑制システムの第７の実施の形態を示す構成図である。
【００８６】
前述する各実施の形態においては、エレベータ利用者の携帯電話８はエレベータ乗りかご利用時に発信抑制とし、エレベータの利用が終了するであろう所定時間が経過したとき、通常の動作に戻すようにした。これは、エレベータ乗場や乗りかご１１のごとき、エレベータ利用者の密集する場所による心臓ペースメーカなどの医療機器に影響が与え、誤動作を発生させる可能性が高いためである。
【００８７】
しかし、一方、エレベータ利用者がエレベータを利用する際に既に通話が行われているとか、外部からエレベータ利用者９が所有する携帯電話８に通話要求がきた場合に限り、携帯電話発信抑制装置６は、心臓ペースメーカなどの医療機器に影響が与えない無線通信手段により、エレベータ利用者９が所有する携帯電話８の電波発信を中継し、通話を継続させることが望ましい場合がある。
【００８８】
そこで、この携帯電話発信抑制システムとしては、例えば携帯電話８がＴＤＭ（Ｔｉｍｅ  Ｄｉｖｉｓｉｏｎ  Ｍｕｌｔｉｐｌｅｘｅｒ）の他、ＣＤＭＡ（Ｃｏｄｅ  Ｄｉｖｉｓｉｏｎ  Ｍｕｌｔｉｐｌｅ  Ａｃｃｅｓｓ）を備えていることを前提とし、次のような構成を採用する。
【００８９】
すなわち、携帯電話発信抑制システムは、前述同様に携帯電話発信抑制装置６が設けられ、携帯電話発信抑制装置６には乗客の乗降に必要な階の乗場に設置される乗場側アンテナ７及び乗りかご１１内に設置されるかご内アンテナ２１が接続され、さらにエレベータ外，例えば建物等の屋上等に設置される外部アンテナ１５が接続されている。
【００９０】
この携帯電話発信抑制装置６は、アンテナ７から所要の距離範囲内に携帯電話８を所持するエレベータ利用者９が近づいたとき、当該エレベータ利用者９が所持する携帯電話８から発信する電波から電話番号を含む携帯電話有りの状態を検出する携帯電話有無検出手段６ａと、この携帯電話有無検出手段６ａによって携帯電話有りと検出したとき、現在通話中であるか否かを判断する通話判断手段６ｈと、この通話判断手段６ｈで通話中でないと判断された場合、当該携帯電話８に対して一時的に電波の発信のみを抑制する発信抑制信号を送信する電波発信抑制手段６ｃと、外部の通話要求元機器例えば携帯電話１４から外部アンテナ１５を介して利用者携帯電話番号情報を含む通話要求信号を受けたとき、既に記録された携帯電話番号情報を参照し、現在発信抑制中の携帯電話８ａへの通話要求かを判断する通話要求判断手段６ｉと、携帯電話８ａが現在発信抑制中であれば、乗場側アンテナ７及びかご内アンテナ２１を通して発信許可信号を送信する発信許可信号送出手段６ｆと、この発信許可信号の送信後又は前記通話要求判断手段１６ｉにより通話要求と判断された場合、該当携帯電話８に対してＣＤＭＡ方式の選択信号を送出するとともに、通常の携帯電話８の電波発信と異なる心臓ペースメーカ等の医療機器に対して影響の少ない，例えば小さい信号出力を広い周波数帯域に分散させることにより、ノイズレベル以下の低い送信出力の信号を送信し通話情報等の中継を行う超広帯域無線通信手段６ｊとが設けられている。
【００９１】
従って、携帯電話８の発信抑制中に外部からエレベータ利用者の所有する携帯電話８に通話要求があったとき、予め携帯電話８の電波発信抑制信号を出す際に抽出していた携帯電話番号から発信抑制中の携帯電話８と判断したとき、心臓ペースメーカ等の医療機器に対して影響の少ない無線通信手段にて通信可能にするので、携帯電話の利便性を阻害することなく外部の携帯電話等１４と通話を行うことができる。
【００９２】
また、現在通話中の携帯電話についても同様に心臓ペースメーカ等の医療機器に対して影響の少ない無線通信手段にて通信を継続させることができる。
【００９３】
なお、本願発明は、上記実施の形態に限定されるものでなく、その要旨を逸脱しない範囲で種々変形して実施できる。
【００９４】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００９５】
【発明の効果】
以上説明したように本発明によれば、携帯電話から発信する電波を抑制し、医療機器その他の機器に及ぼす影響を少なくし、予め危険性を未然に回避できるエレベータの携帯電話発信抑制システムを提供できる。
【図面の簡単な説明】
【図１】本発明に係るエレベータの携帯電話発信抑制システムの第１の実施の形態を示す構成図。
【図２】本発明に係るエレベータの携帯電話発信抑制システムの第２の実施の形態を示す構成図。
【図３】本発明に係るエレベータの携帯電話発信抑制システムの第３の実施の形態を示す構成図。
【図４】本発明に係るエレベータの携帯電話発信抑制システムの第４の実施の形態を示す構成図。
【図５】本発明に係るエレベータの携帯電話発信抑制システムの第５の実施の形態を示す構成図。
【図６】本発明に係るエレベータの携帯電話発信抑制システムの第６の実施の形態を示す構成図。
【図７】本発明に係るエレベータの携帯電話発信抑制システムの第７の実施の形態を示す構成図。
【符号の説明】
１…乗場、２…エレベータ制御装置、６…携帯電話発信抑制装置、６ａ…携帯電話有無検出手段、６ｂ…電源遮断信号送出手段、６ｃ…電波発信抑制手段、６ｅ…メッセージ情報返送手段、６ｆ…発信許可信号送出手段、６ｈ…通話判断手段、６ｉ…通話要求判断手段、６ｊ…広帯域無線通信手段、７、７ａ，７ｂ…アンテナ、８…携帯電話、９…エレベータ利用者、１４…携帯電話その他の通信機器、１５…外部アンテナ、２１…かご内アンテナ、２２…地震検出器、２６…非常呼び釦、３１…ＶＩＰ運転スイッチ
【図１】
2005051386.tif 000003
【図２】
2005051386.tif 000004
【図３】
2005051386.tif 000005
【図４】
2005051386.tif 000006
【図５】
2005051386.tif 000007
【図６】
2005051386.tif 000008
【図７】
2005051386.tif 000009